(57)【要約】【課題】本発明は温室効果ガスの排出権が付与された消耗品や交換部品を使用する際、このような製品を使用していることをユーザが常に意識できる印刷装置を提供するものである。【解決手段】トナーカートリッジ等の消耗品や交換部品が装着された印刷装置であって、ＣＯ２排出権付きの消耗品又は交換部品が装着されたことを検出し、該装着情報を記憶する記憶手段と、印刷データの印刷処理を行うと共に、該印刷データの印刷処理の際、前記記憶手段に前記消耗品又は交換部品の装着情報が記憶されているとき、前記印刷データの印刷結果と共に、エコロジーマークの印刷を行う印刷制御手段とを有することを特徴とする。【選択図】  図１
2011025427.tif 000002
【特許請求の範囲】
【請求項１】
ＣＯ２排出権付きの消耗品又は交換部品が装着されたことを検出し、該装着情報を記憶する記憶手段と、
印刷データの印刷処理を行うと共に、該印刷データの印刷処理の際、前記記憶手段に前記消耗品又は交換部品の装着情報が記憶されているとき、前記印刷データの印刷結果と共に、エコロジーマークの印刷を行う印刷制御手段と、
を有することを特徴とする印刷装置。
【請求項２】
前記印刷制御手段は、前記エコロジーマークの印刷に代えて、ＣＯ２排出権付きの消耗品又は交換部品の装着を報知するエコロジー報知文字列の印刷制御を行うことを特徴とする請求項１に記載の印刷装置。
【請求項３】
エコロジー印刷の情報を記憶する第１の記憶手段と、
ＣＯ２排出権付きの消耗品又は交換部品が装着されたことを検出し、該装着情報を記憶する第２の記憶手段と、
前記第１の記憶手段に記憶するエコロジー印刷を行う際、第１のエコロジーマークの印刷を行うと共に、前記第２の記憶手段に前記消耗品又は交換部品の装着情報が記憶されているとき、更に第２のエコロジーマークの印刷を行う印刷制御手段と、
を有することを特徴とする印刷装置。
【請求項４】
ＣＯ２排出権付きの消耗品又は交換部品が装着されたことを検出し、該装着情報を記憶手段に記憶する記憶処理と、
印刷データの印刷処理を行うと共に、該印刷データの印刷処理の際、前記記憶手段に前記消耗品又は交換部品の装着情報が記憶されているとき、前記印刷データの印刷結果と共に、エコロジーマークの印刷を行う印刷制御処理と、
を行うことを特徴とする印刷制御方法。
【請求項５】
エコロジー印刷の情報を第１の記憶手段に記憶する第１の処理と、
ＣＯ２排出権付きの消耗品又は交換部品が装着されたことを検出し、該装着情報を第２の記憶手段に記憶する第２の処理と、
前記第１の記憶手段に記憶するエコロジー印刷を行う際、第１のエコロジーマークの印刷を行うと共に、前記第２の記憶手段に前記消耗品又は交換部品の装着情報が記憶されているとき、更に第２のエコロジーマークの印刷を行う印刷制御処理と、
を行うことを特徴とする印刷制御方法。
【発明の詳細な説明】
【技術分野】
【０００１】
本発明は、温室効果ガスの排出権が付与された消耗品、若しくは交換部品を使用する印刷装置に関する。
【背景技術】
【０００２】
今日、地球環境の保持が世界的に叫ばれ、地球温暖化防止会議を中心としてＣＯ２（二酸化炭素）などの温室効果ガスの排出規制が実現化に向かっている。このような状況において、印刷装置においてもＣＯ２削減に対応する取り組みが行われ、関連する特許出願も行われている。
【０００３】
例えば、特許文献１は、印刷装置を含む情報処理装置において、用紙等の資源を使用する際の目標値を設定し、現在の資源の使用状態から将来の資源の使用量を予測し、目標達成が不可能な場合には使用を中止し、目標達成のためのリポートを発行する発明を開示する。
【０００４】
また、特許文献２は、一定期間画像形成装置を使用することによって消費される電力量と同じ期間画像形成装置で消費される消耗品の消費量をＣＯ２に換算し、ＣＯ２排出量低減のための推奨モードを提言し、ＣＯ２排出の改善予測を行う発明を開示する。
一方、各企業は環境保護推進を目的としたトナーカートリッジ等の消耗品や交換部品の販売を行い、温室効果ガス削減に関するユーザの意識の高まりを期待している。
【先行技術文献】
【特許文献】
【０００５】
【特許文献１】特開２００７−２４９５６３号公報
【特許文献２】特開２００２−００６６９６号公報
【発明の概要】
【発明が解決しようとする課題】
【０００６】
しかしながら、ユーザにとって、環境保護推進を目的としたトナーカートリッジ等の消耗品や交換部品は、購入時においてはエコロジー製品であることを意識しているが、以後の使用中、エコロジー製品の使用の認識が薄れることが常である。環境保護の推進のためには、印刷装置を使用して作業を行うユーザ一人一人が、常時温室効果ガス削減の意識を持つことが重要である。
【０００７】
そこで、本発明は温室効果ガスの排出権が付与された消耗品や交換部品を使用する際、このような製品を使用していることをユーザが常に意識できる印刷装置を提供するものである。
【課題を解決するための手段】
【０００８】
上記課題は第１の発明によれば、ＣＯ２排出権付きの消耗品又は交換部品が装着されたことを検出し、該装着情報を記憶する記憶手段と、印刷データの印刷処理を行うと共に、該印刷データの印刷処理の際、前記記憶手段に前記消耗品又は交換部品の装着情報が記憶されているとき、前記印刷データの印刷結果と共に、エコロジーマークの印刷を行う印刷制御手段とを有する印刷装置を提供することによって達成できる。
【０００９】
また、上記課題は第２の発明によれば、前記印刷制御手段は、前記エコロジーマークの印刷に代えて、ＣＯ２排出権付きの消耗品又は交換部品の装着を報知するエコロジー報知文字列の印刷制御を行う印刷装置を提供することによって達成できる。
【００１０】
また、上記課題は第３の発明によれば、エコロジー印刷の情報を記憶する第１の記憶手段と、ＣＯ２排出権付きの消耗品又は交換部品が装着されたことを検出し、該装着情報を記憶する第２の記憶手段と、前記第１の記憶手段に記憶するエコロジー印刷を行う際、第１のエコロジーマークの印刷を行うと共に、前記第２の記憶手段に前記消耗品又は交換部品の装着情報が記憶されているとき、更に第２のエコロジーマークの印刷を行う印刷制御手段とを有する印刷装置を提供することによって達成できる。
【００１１】
また、上記課題は第４の発明によれば、ＣＯ２排出権付きの消耗品又は交換部品が装着されたことを検出し、該装着情報を記憶手段に記憶する記憶処理と、印刷データの印刷処理を行うと共に、該印刷データの印刷処理の際、前記記憶手段に前記消耗品又は交換部品の装着情報が記憶されているとき、前記印刷データの印刷結果と共に、エコロジーマークの印刷を行う印刷制御処理とを行う印刷制御方法を提供することによって達成できる。
【００１２】
また、上記課題は第５の発明によれば、エコロジー印刷の情報を第１の記憶手段に記憶する第１の処理と、ＣＯ２排出権付きの消耗品又は交換部品が装着されたことを検出し、該装着情報を第２の記憶手段に記憶する第２の処理と、前記第１の記憶手段に記憶するエコロジー印刷を行う際、第１のエコロジーマークの印刷を行うと共に、前記第２の記憶手段に前記消耗品又は交換部品の装着情報が記憶されているとき、更に第２のエコロジーマークの印刷を行う印刷制御処理とを行う印刷制御方法を提供することによって達成できる。
【発明の効果】
【００１３】
本発明によれば、プリンタ装置等の印刷装置を使用する際、エコロジーマーク又はエコロジー報知文字列の印刷によって、消耗品又は交換部品の装着によるＣＯ２等の温室効果ガスの排出量削減に関する環境保護の意識を想起させ、環境保護の推進を図ることができる。
【図面の簡単な説明】
【００１４】
【図１】実施形態１の印刷装置としてのプリンタ装置のシステム構成図である。
【図２】エコレベル印刷情報部のデータ構成を示す図である。
【図３】カートリッジ識別情報部のデータ構成を示す図である。
【図４】実施形態１の処理動作を説明するフローチャートであり、データ描画部の処理を説明するフローチャートである。
【図５】実施形態１の処理動作を説明するフローチャートであり、エコレベル印刷制御部の処理を説明するフローチャートである。
【図６】実施形態２の印刷装置としてのプリンタ装置のシステム構成図である。
【図７】実施形態２の処理動作を説明するフローチャートである。
【図８】実施形態３の印刷装置としてのプリンタ装置のシステム構成図である。
【図９】付加文字列記憶部に登録された付加文字列の一例を示す図である。
【図１０】実施形態３の処理動作を説明するフローチャートである。
【発明を実施するための形態】
【００１５】
以下、本発明の実施の形態を図面を参照しながら説明する。
（実施形態１）
図１は、本実施形態の印刷装置としてのプリンタ装置のシステム構成図である。同図において、プリンタ装置１はホスト機器であるパーソナルコンピュータ（ＰＣ）に接続されている。プリンタ装置１は、印刷データ受信/解析部２、データ描画部３、データ転送部４、エコレベル印刷制御部５、エコレベル印刷情報部６、画像メモリ７、カートリッジ識別情報部８、カートリッジ識別部９、及びプリンタエンジン１０で構成されている。
【００１６】
プリンタ装置１は、印刷データ受信/解析部２に供給されるパーソナルコンピュータ（ＰＣ）からの印刷データを受信し、コマンド解析を行って描画データに変換する。データ描画部３は、印刷データ受信/解析部２によって解析された描画データを画像メモリ７に展開する。データ転送部４はデータ描画部３の指示に従って画像メモリ７に展開された描画データをプリンタエンジン１０に送信し、プリンタエンジン１０を駆動して用紙（記録媒体）への印字処理を行う。
【００１７】
エコレベル印刷制御部５は、印刷を行うドキュメントのエコロジーに対する貢献度を表す印刷制御を行い、エコレベル印刷情報部６に登録された情報に基づいてエコレベル印刷の指示及び制御を行う。
【００１８】
図２は、エコレベル印刷情報部６のデータ構成を示す図である。同図に示すように、エコレベル印刷情報部６には、「両面印刷」、「マルチページ」、「トナーセーブ」の各エコロジー印刷に関する項目と共に、各エコロジー項目のなし/ありの情報が記憶されている。エコレベル印刷制御部５は上記エコレベル印刷情報部６に登録された情報に基づいて、エコレベル印刷を行う。尚、「両面印刷」はプリンタエンジン１０によって用紙（記録媒体）の表面及び裏面に印字を行い用紙の消費を減らす処理であり、「マルチページ」は１枚の用紙に２頁分、４頁分、・・を縮小印刷し、トナー消費や用紙の消費を抑える処理であり、「トナーセーブ」は現像器等への印加電圧を制御してトナー消費や電力消費を抑える処理である。
【００１９】
また、図３はカートリッジ識別情報部８のデータ構成を示し、カートリッジ識別情報部８には「カーボンオフセットカートリッジ」、又は「非カーボンオフセットカートリッジ」の情報が登録されている。また、カートリッジ識別情報部８はカートリッジ識別部９から上記情報を取得する。
【００２０】
尚、カートリッジ識別部９はプリンタエンジン１０に装着されたトナーカートリッジからの情報によって上記識別情報を取得する。
【００２１】
次に、本例の処理動作を説明する。
図４及び図５は、本例の処理動作を説明するフローチャートであり、図４はデータ描画部３の処理を示し、図５はエコレベル印刷制御部５の処理を示す。
【００２２】
先ず、図４に示すフローチャートにおいて、印刷装置１の印刷データ受信/解析部２は前述のように、パーソナルコンピュータ（ＰＣ）から供給された印刷データを受信し、印刷データの解析処理を行い、印刷データ受信/解析部２による印刷データの受け渡しが有るか判断する（ステップ（以下、Ｓで示す）１）。この印刷データ受信/解析部２による印刷データの受け渡しは、印刷データ受信/解析部２による印刷データの解析処理が一定量終了したタイミングで実行される。
【００２３】
ここで、印刷データ受信/解析部２からの印刷データの受け渡しがあると（Ｓ１がＹＥＳ）、データ描画部３は描画処理を行う（Ｓ２）。この描画処理は、印刷データ受信/解析部２から転送されたデータを画像メモリ７に展開する処理である。この処理が、例えば１ページ分完了すると（Ｓ３がＹＥＳ）、エコレベル印刷情報部６にエコレベル印刷の実行を通知する（Ｓ４）。
【００２４】
エコレベル印刷制御部５はデータ描画部３からエコレベル印刷実行の通知があると（Ｓ５（図５に示すフローチャート）がＹＥＳ）、カートリッジ識別情報部８を参照する（Ｓ６）。このとき、カートリッジ識別情報部８にはカートリッジ識別部９によってプリンタエンジン１０に装着されたトナーカートリッジの識別情報が入力しており、カートリッジ識別情報に「カーボンオフセットカートリッジ」が登録されていれば（Ｓ７がＹＥＳ）、エコレベル印刷情報部６の情報に従ってエコレベル印刷を実行し（Ｓ８）、データ描画部３にエコレベル印刷完了を通知する（Ｓ９）。
【００２５】
ここで、エコレベル印刷情報部６には前述のように、「両面印刷」、「マルチページ」、「トナーセーブ」の各エコロジー項目と共に、それぞれのエコロジー印刷を行うか否か（なし/あり）の情報が記憶されており、上記エコレベル印刷情報部６に登録された情報に従ってエコレベル印刷制御部５は画像メモリ７に描画処理を行う。
【００２６】
尚、カートリッジ識別情報部８に「非カーボンオフセットカートリッジ」の登録が行われている場合（Ｓ７がＮＯ）、直ちに判断処理の終了を通知する（Ｓ９）。
【００２７】
一方、データ描画部３ではエコレベル印刷制御部５から上記エコレベル印刷終了の通知を受信すると（Ｓ１０がＹＥＳ）、データ描画部３に印刷開始の指示を行い（Ｓ１１）、データ転送部４によって画像メモリ７に展開された描画データをプリンタエンジン１０に転送する。このようにしてプリンタエンジン１０に転送されたデータは、プリンタエンジン１０の駆動によって用紙（記録媒体）に印字され、印刷装置１の排紙トレイに排出される。
【００２８】
その後、印刷データ受信/解析部２から受け渡されたデータの全てに対して描画処理が完了したか判断し（Ｓ１２）、受け渡された全てのデータに対して描画処理が完了するまで上記処理を繰り返す（Ｓ１〜Ｓ１２）。
【００２９】
以上のように処理することによって、プリンタエンジン１０では画像メモリ７に展開された描画データに基づいて印刷出力を行い、ＣＯ２排出権付きのトナーカートリッジが装着されていることに基づくエコロジーマークの印刷が行われる。尚、エコロジーマークの印刷は、例えば印刷物の欄外（余白領域）に印刷する。
したがって、ユーザは印刷結果を見ることによって、エコロジーマークを認識し、ＣＯ２排出量の削減に関する環境保護の意識を想起させ、環境保護の推進を図ることができる。
【００３０】
（実施形態２）
次に、本発明の実施形態２について説明する。
図６は、本実施形態の印刷装置としてのプリンタ装置のシステム構成図である。同図において、プリンタ装置１はホスト機器であるパーソナルコンピュータ（ＰＣ）に接続されている。本例のプリンタ装置についても、基本的な構成は前述の図１と同様であり、印刷データ受信/解析部２、データ描画部３、データ転送部４、エコレベル印刷制御部５、エコレベル印刷情報部６、画像メモリ７、カートリッジ識別情報部８、カートリッジ識別部９、及びプリンタエンジン１０で構成されている。
【００３１】
本例のプリンタ装置１は、エコレベル印刷制御部５に記憶されたエコロジー項目に関する情報に基づいてエコロジーマークを印刷し、更にＣＯ２排出権付きのトナーカートリッジが使用されている場合にはエコロジーマークを追加して印刷する構成である。
【００３２】
次に、本例の処理動作を説明する。
本例においても、先ず図４のフローチャートで説明した処理が実行され、印刷データ受信/解析部２は前述のように、パーソナルコンピュータ（ＰＣ）から供給された印刷データを受信し、印刷データの解析処理を行い、データ描画部３によって画像メモリ７への描画処理が行われる。そして、例えば１ページ分の描画処理が完了すると（Ｓ３がＹＥＳ）、エコレベル印刷情報部６にエコレベル印刷の実行を通知する（Ｓ４）。
【００３３】
一方、エコレベル印刷制御部５では図７に示すフローチャートに従って処理を行い、先ずデータ描画部３からエコレベル印刷実行の通知があると（ステップ（以下、ＳＴで示す）１がＹＥＳ）、初期値としてポイント０を設定する（ＳＴ２）。尚、このポイントの設定は、例えばエコレベル印刷制御部５に内蔵するカウンタ５ａに設定する。
【００３４】
次に、エコレベル印刷制御部５はエコレベル印刷情報部６に登録された「両面印刷」のエコロジー項目が「あり」に設定されているか判断する（ＳＴ３）。ここで、エコレベル印刷情報部６に登録された「両面印刷」のエコロジー項目が「あり」に設定されていれば（ＳＴ３がＹＥＳ）、ポイント１を加算する（ＳＴ４）。具体的には、上記カウンタ５ａのカウント値を“１”に設定する。尚、エコレベル印刷情報部６に登録された「両面印刷」のエコロジー項目が「なし」に設定されていれば（ＳＴ３がＮＯ）、ポイントを加算することなく次の処理に移る。
【００３５】
次に、エコレベル印刷制御部５はエコレベル印刷情報部６に登録された「マルチページ」のエコロジー項目が「あり」に設定されているか判断する（ＳＴ５）。ここで、「マルチページ」のエコロジー項目が「あり」に設定されていれば（ＳＴ３がＹＥＳ）、更にポイント１を加算する（ＳＴ６）。具体的には、上記カウンタ５ａのカウント値を＋１する。また、エコレベル印刷情報部６に登録された「マルチページ」のエコロジー項目が「なし」に設定されていれば（ＳＴ５がＮＯ）、ポイントを加算することなく次の処理に移る。
【００３６】
同様にして、次にエコレベル印刷制御部５はエコレベル印刷情報部６に登録された「トナーセーブ」のエコロジー項目が「あり」に設定されているか判断する（ＳＴ７）。ここで、「トナーセーブ」のエコロジー項目が「あり」に設定されていれば（ＳＴ７がＹＥＳ）、更にポイント１を加算する（ＳＴ８）。具体的には、上記カウンタ５ａのカウント値を＋１する。また、エコレベル印刷情報部６に登録された「トナーセーブ」のエコロジー項目が「なし」に設定されていれば（ＳＴ７がＮＯ）、ポイントを加算することなく次の処理に移る。
【００３７】
次に、エコレベル印刷制御部５はカートリッジ識別情報部８を参照し（ＳＴ９）、ＣＯ２排出権付きトナーカートリッジが装着されているか判断する。この判断は、前述の実施形態１において説明したように、プリンタエンジン１０に装着されたトナーカートリッジの情報をカートリッジ識別部９が読み取ることによってカートリッジ識別部９に登録された情報であり、前述の「カーボンオフセットカートリッジ」の登録がされている場合（ＳＴ１０がＹＥＳ）、ポイント１を加算する（ＳＴ１１）。具体的には、上記カウンタ５ａのカウント値を＋１する。一方、「非カーボンオフセットカートリッジ」の登録がされている場合（ＳＴ１０がＮＯ）、ポイントを加算することなく次の処理に移る。
【００３８】
以上の処理によって、カウンタ５ａにはエコロジー項目の印刷処理が増加する毎にポイントが加算され、ＣＯ２排出権付きトナーカートリッジが装着されている場合、更にポイントが加算される。
【００３９】
次に、エコレベル印刷情報部６はカウンタ５ａに計数されたカウント値が“１”以上であるか判断する（ＳＴ１２）。そして、カウンタ５ａに計数されたカウント値が“１”以上である場合（ＳＴ１２がＹＥＳ）、ポイント数に従ってエコロジーマークを画像メモリ７に描画し（ＳＴ１３）、データ描画部３にエコレベル印刷の終了を通知する（ＳＴ１４）。
【００４０】
一方、データ描画部３ではエコレベル印刷制御部５から上記エコレベル印刷終了の通知を受信すると、前述の図４に示すフローチャートに従ってデータ描画部３に印刷開始の指示を行い、データ転送部４によって画像メモリ７に展開された描画データをプリンタエンジン１０に転送する。このようにしてプリンタエンジン１０に転送されたデータは、プリンタエンジン１０の駆動によって用紙（記録媒体）に印字され、印刷装置１の排紙トレイに排出される。
【００４１】
その後、印刷データ受信/解析部２から受け渡されたデータの全てに対して描画処理が完了したか判断し、受け渡された全てのデータに対して描画処理が完了するまで上記処理を繰り返す。
【００４２】
以上のように処理することによって、印刷出力には「両面印刷」、「マルチページ」、「トナーセーブ」の各エコロジー印刷の処理数、及びＣＯ２排出権付きのトナーカートリッジの装着の有無に従った数のエコロジーマークの印刷を行うことができる。尚、エコロジーマークの印刷は、例えば印刷物の欄外（余白領域）に印刷する。
【００４３】
したがって、ユーザは印刷結果を見ることによって、エコロジーマークを認識し、ＣＯ２排出量の削減に貢献しているレベルをエコロジーマークの数によって認識することができる。
【００４４】
（実施形態３）
次に、本発明の実施形態３について説明する。
図８は、本実施形態の印刷装置としてのプリンタ装置のシステム構成図である。同図において、プリンタ装置１はホスト機器であるパーソナルコンピュータ（ＰＣ）に接続されており、基本的な構成は前述の図１及び図６と同様である。但し、本例のプリンタ装置１１は、印刷データ受信/解析部２、データ描画部３、データ転送部４、エコレベル印刷制御部５、画像メモリ７、カートリッジ識別情報部８、カートリッジ識別部９、プリンタエンジン１０、及び付加文字列記憶部１２で構成され、前述のエコレベル印刷情報部６に代えて付加文字列記憶部１２が配設されている。
【００４５】
図９は上記付加文字列記憶部１２に登録された付加文字列の一例である。付加文字列記憶部１２に登録される文字列は、印刷出力されることによってＣＯ２排出権付きトナーカートリッジが装着され、ＣＯ２排出量の削減に関する認識を想起する内容である。尚、本例では“カーボンオフセットカートリッジ使用”の文字列が登録されている。
【００４６】
本例のプリンタ装置１は、ＣＯ２排出権付きトナーカートリッジが装置に装着されていた場合、付加文字列記憶部１２に登録された付加文字列の情報を印刷出力する構成である。以下、本例の処理動作を説明する。
【００４７】
本例においても、先ず図４のフローチャートで説明した処理が実行され、印刷データ受信/解析部２は前述のように、パーソナルコンピュータ（ＰＣ）から供給された印刷データを受信し、印刷データの解析処理を行い、データ描画部３によって画像メモリ７への描画処理が行われる。そして、例えば１ページ分の描画処理が完了すると（Ｓ３がＹＥＳ）、エコレベル印刷情報部６にエコレベル印刷の実行を通知する（Ｓ４）。
【００４８】
エコレベル印刷制御部５では、図１０に示すフローチャートに従って処理を行い、上記データ描画部３からエコレベル印刷実行の通知があると（ステップ（以下、ＳＴＰで示す）１がＹＥＳ）、カートリッジ識別情報部８を参照する（ＳＴＰ２）。本例においても、カートリッジ識別情報部８にはカートリッジ識別部９によってプリンタエンジン１０に装着されたトナーカートリッジの識別情報が入力しており、カートリッジ識別情報に「カーボンオフセットカートリッジ」が登録されていれば（ＳＴＰ３がＹＥＳ）、付加文字列記憶部１２の文字列の情報を画像メモリ７に描画する（ＳＴＰ４）。そして、エコレベル印刷制御部５からデータ描画部３にエコレベル印刷完了を通知する（ＳＴＰ５）。
【００４９】
尚、カートリッジ識別情報部８に「非カーボンオフセットカートリッジ」の登録が行われている場合には、直ちにデータ描画部３に対して判断処理の終了を通知する（ＳＴＰ４がＮＯ、ＳＴＰ５）。
【００５０】
データ描画部３ではエコレベル印刷制御部５から上記エコレベル印刷終了の通知を受信すると、前述の図４に示すフローチャートに従ってデータ描画部３に印刷開始の指示を行い、データ転送部４によって画像メモリ７に展開された描画データをプリンタエンジン１０に転送する。このようにしてプリンタエンジン１０に転送されたデータは、プリンタエンジン１０の駆動によって用紙（記録媒体）に印字され、印刷装置１の排紙トレイに排出される。
【００５１】
その後、印刷データ受信/解析部２から受け渡されたデータの全てに対して描画処理が完了したか判断し、受け渡された全てのデータに対して描画処理が完了するまで上記処理を繰り返す。
【００５２】
以上のように処理することによって、プリンタエンジン１０では画像メモリ７に展開された描画データに基づいて印刷出力を行い、ＣＯ２排出権付きのトナーカートリッジが装着されている場合、前述の“カーボンオフセットカートリッジ使用”の文字列が印刷される。尚、上記文字列の印刷は、例えば印刷物の欄外（余白領域）に印刷する。
【００５３】
したがって、ユーザは上記印刷結果を読むことによって、プリンタ装置１１に装着されたトナーカートリッジがＣＯ２排出権付きであることを報知し、ＣＯ２排出量の削減に関する環境保護に懇献していることを認識させることができる。
【符号の説明】
【００５４】
１・・・プリンタ装置
２・・・印刷データ受信/解析部
３・・・データ描画部
４・・・データ転送部
５・・・エコレベル印刷制御部
６・・・エコレベル印刷情報部
７・・・画像メモリ
８・・・カートリッジ識別情報部
９・・・カートリッジ識別部
１０・・プリンタエンジン
１１・・プリンタ装置
１２・・付加文字列記憶部
【図１】
2011025427.tif 000003
【図２】
2011025427.tif 000004
【図３】
2011025427.tif 000005
【図４】
2011025427.tif 000006
【図５】
2011025427.tif 000007
【図６】
2011025427.tif 000008
【図７】
2011025427.tif 000009
【図８】
2011025427.tif 000010
【図９】
2011025427.tif 000011
【図１０】
2011025427.tif 000012